(57)【特許請求の範囲】
【請求項１】
（ｉ）電子透かしにより識別情報が埋め込まれたコンテンツデータと、（ｉｉ）前記識別情報から生成可能なパスワードの入力を求めるルーチンを有するとともに前記コンテンツデータの再生制御を行う再生制御データとからなる情報コンテンツが記録された情報記録媒体を再生する情報再生装置であり、
前記コンテンツデータに前記電子透かしが埋め込まれているか否かを検出する電子透かし検出部と、
前記コンテンツデータの少なくとも一部が暗号化されているか否かを検出する暗号化検出部と、
（ｉ）前記電子透かしが前記電子透かし検出部によって検出されない場合には、前記パスワードの入力を求めるルーチンを行い、（ｉｉ）前記電子透かしが前記電子透かし検出部によって検出され且つ前記コンテンツデータの暗号化が前記暗号化検出部によって検出された場合には、前記検出された電子透かしから生成されたパスワードが前記パスワードの入力を求めるルーチンに対して入力されたものとする処理を行い、（ｉｉｉ）前記電子透かしが検出されたにも拘わらず、前記コンテンツデータが暗号化されていない場合には、前記情報コンテンツの再生を禁止する再生制御部と、
を備えることを特徴とする情報再生装置。
【請求項２】
前記電子透かしが検出されたにも拘わらず、前記コンテンツデータが暗号化されていない場合、前記識別情報を外部機器に送信する送信部を備えることを特徴とする請求の範囲第１項に記載の情報再生装置。
【請求項３】
前記再生制御部は、前記電子透かしにより埋め込まれた前記識別情報が、前記送信された前記識別情報に基づき前記外部機器により生成された再生禁止リストに含まれる場合、前記情報コンテンツの再生を禁止することを特徴とする請求の範囲第１項に記載の情報再生装置。
【請求項４】
（ｉ）電子透かしにより識別情報が埋め込まれたコンテンツデータと、（ｉｉ）前記識別情報から生成可能なパスワードの入力を求めるルーチンを有するとともに前記コンテンツデータの再生制御を行う再生制御データとからなる情報コンテンツが記録された情報記録媒体を再生するための情報再生プログラムであり、
前記コンテンツデータに前記電子透かしが埋め込まれているか否か検出し、
前記コンテンツデータの少なくとも一部が暗号化されているか否かを検出し、
（ｉ）前記電子透かしが検出されない場合には、前記パスワードの入力を求めるルーチンを行い、（ｉｉ）前記電子透かしが検出され且つ前記コンテンツデータの暗号化が検出された場合には、前記検出された電子透かしから生成されたパスワードが前記パスワードの入力を求めるルーチンに対して入力されたものとする処理を行い、（ｉｉｉ）前記電子透かしが検出されたにも拘わらず、前記コンテンツデータが暗号化されていない場合には、前記情報コンテンツの再生を禁止するようコンピュータを制御することを特徴とする情報再生プログラム。
【発明の詳細な説明】
【技術分野】
【０００１】
本発明は、映画などの情報コンテンツを配信するコンテンツ配信装置、情報コンテンツが記録された情報記録媒体、かかる情報記録媒体を再生する情報再生装置などに関する。
【背景技術】
【０００２】
現在、ＤＶＤ−Ｒ（DVD Recordable）、ＤＶＤ−ＲＷ（DVD ReWritable）などの追記型・書換可能型の情報記録媒体が普及している。これらの追記型・書換可能型情報記録媒体を用いることにより、ユーザーは、コンテンツ配信業者よりネットワークを介して配信される映画等の情報コンテンツを自ら所有する情報記録媒体に記録することができる。たとえば、インターネットを介してコンテンツ配信業者が開設するホームページを閲覧し、当該ホームページ内でリスト化されたコンテンツ群の中から自分の所望する情報コンテンツをデジタルデータとして自己のＰＣ等にダウンロードして記録する。【０００３】
ここで配信される情報コンテンツはデジタルデータゆえ、違法な複製が問題となる。映画等の情報コンテンツがネットワークを介して容易にデジタル情報として記録することが可能になると、このような違法な複製を防止して著作権者の保護を図ることが重要になる。【０００４】
この問題に対処する方法としてまず、コンテンツデータ自体を暗号化するＣＳＳ暗号化方式（以下、適宜「ＣＳＳ」と称す）がある。このＣＳＳにより暗号化されたコンテンツデータはよりセキュアにネットワーク上を流通したのだが、このＣＳＳの暗号を解読するいわゆるＤｅＣＳＳと呼ばれるソフトウエアがネットワーク上で配布されるという事態が発生したため、コンテンツデータにかけた暗号が違法に解除されてしまうという問題が新たに起きた。【０００５】
そこで従来は、このような違法な暗号解除行為を防止するため、電子透かし技術を利用して複製を制御する手法が開発されており、たとえば特許文献１等に記載されているように、ＣＳＳと電子透かしとを組み合わせて、コンテンツ製作者等が有する著作権の保護を図っている。【０００６】
一方、上記電子透かしとは別に、ＤＶＤに記録された情報コンテンツを再生する際に、パスワードの入力を求める手法が存在する。例えば特許文献２には、ＤＶＤ−Ｖｉｄｅｏ規格に準拠した再生制御情報にパスワード入力を要求するプログラムを組み込み、これにより視聴制限を行っている。【０００７】
【特許文献１】特開２００３−３１７３７８号公報
【特許文献２】特開２００３−１３２６２４号公報
【発明の開示】
【発明が解決しようとする課題】
【０００８】
しかしながら電子透かしを単純に組み込む従来の手法では、装置の製造側に負荷を与えるわりには最終的な使用者であるエンドユーザーに対してメリットが少なく、電子透かしに関連する機能を搭載する装置を開発するインセンティブに欠ける。【０００９】
他方で、パスワード入力をユーザーに求める手法では、再生装置としては負荷無く製造ができるが、ユーザーにとっては情報コンテンツの再生の度にいちいちパスワードを入力する必要があり、そもそも著作権保護の観点からも違法な複製に対して保護が不十分となってしまう。【００１０】
本発明は上記に示したような課題を一例として鑑みてなされたものであり、本発明の目的は、装置の製造側、エンドユーザー及びコンテンツ提供側のいずれもがメリットを享受できる機器やシステムを提供しつつ、あわせて著作権の保護を図っていくことにある。
【課題を解決するための手段】
【００１１】
上記課題を解決するために本発明の情報生成装置は、識別情報を電子透かしによりコンテンツデータに埋め込む電子透かし埋め込み部と、前記識別情報から生成可能なパスワードの入力を求めるルーチンを有するとともに前記コンテンツデータの再生制御を行う再生制御データを生成する再生制御情報生成部と、前記識別情報が埋め込まれたコンテンツデータの少なくとも一部を暗号化する暗号化部と、前記暗号化されたコンテンツデータと前記再生制御データとからなる情報コンテンツを生成する手段と、を有することを特徴とする。【００１２】
なお前記識別情報は、前記情報コンテンツの配信を要求するユーザーを識別するためのユーザーＩＤ、前記情報コンテンツを特定するためのコンテンツＩＤ、または前記情報コンテンツを記録媒体に記録する記録装置を識別するための記録装置ＩＤの少なくとも一つを含むことが好ましい。【００１３】
また、前記識別情報は前記ユーザーＩＤであり、前記パスワードは前記ユーザーＩＤの少なくとも一部からなることが好ましい。【００１４】
さらに、上記課題を解決するために、本発明の情報配信装置は、上記のいずれかに記載の情報生成装置と、前記情報コンテンツを配信する配信部と、を具備することを特徴とする。
また、上記課題を解決するため、本発明のデータ構造は、ネットワークを介してダウンロード可能なデータ構造であって、電子透かしにより識別情報が埋め込まれたコンテンツデータと、前記識別情報から生成可能なパスワードの入力を求めるルーチンを有するとともに前記コンテンツデータの再生制御を行う再生制御データと、からなることを特徴とする。【００１５】
また、上記課題を解決するために、本発明の情報記録媒体は、上記記載のデータ構造からなる情報コンテンツが記録されている。【００１６】
また、上記課題を解決するために、本発明の情報再生装置は、上記に記載の情報記録媒体を再生する情報再生装置であり、前記コンテンツデータに前記電子透かしが埋め込まれているか否か検出する電子透かし検出部と、前記コンテンツデータの少なくとも一部が暗号化されているか否かを検出する暗号化検出部と、前記電子透かしが検出されたにも拘わらず、前記コンテンツデータが暗号化されていない場合、前記情報コンテンツの再生を禁止する再生制御部と、を備えることを特徴とする。【００１７】
なお上記情報再生装置は、前記電子透かしが検出されたにも拘わらず、前記コンテンツデータが暗号化されていない場合、前記識別情報を外部機器に送信する送信部を備えることが好ましい。また、前記再生制御部は、前記電子透かしにより埋め込まれた前記識別情報が、前記送信された前記識別情報に基づき前記外部機器により生成された再生禁止リストに含まれる場合、前記情報コンテンツの再生を禁止することが好ましい。【００１８】
また、上記課題を解決するために、本発明の情報再生プログラムは、上記に記載の情報記録媒体を再生するための情報再生プログラムであり、前記コンテンツデータに前記電子透かしが埋め込まれているか否か検出し、前記コンテンツデータの少なくとも一部が暗号化されているか否かを検出し、前記電子透かしが検出されたにも拘わらず、前記コンテンツデータが暗号化されていない場合、前記情報コンテンツの再生を禁止するようコンピュータを制御することを特徴とする。【００１９】
また、上記課題を解決するために、本発明の情報記録装置は、情報コンテンツを記録媒体に記録する情報記録装置であり、前記情報コンテンツは、コンテンツデータと、パスワードの入力を求めるルーチンを有するとともに前記コンテンツデータの再生制御を行う再生制御データと、からなり前記コンテンツデータの少なくとも一部が暗号化されており、前記情報記録装置は、前記パスワードを生成可能な識別情報を電子透かしとして生成する電子透かし生成部と、前記生成された前記電子透かしを前記コンテンツデータに埋め込む電子透かし埋め込み部と、を備えることを特徴とする。【００２０】
また、上記課題を解決するために、本発明の情報記録プログラムは、情報コンテンツを記録媒体に記録するための情報記録プログラムであり、前記情報コンテンツは、コンテンツデータと、パスワードの入力を求めるルーチンを有するとともに前記コンテンツデータの再生制御を行う再生制御データと、からなり前記コンテンツデータの少なくとも一部が暗号化されており、前記情報記録プログラムは、前記パスワードを生成可能な識別情報を電子透かしとして生成し、前記生成された前記電子透かしを前記コンテンツデータに埋め込むようコンピュータを制御することを特徴とする。【００２１】
上記課題を解決するために、コンピュータ読取可能な媒体内の第１コンピュータプログラム製品は、上述した本発明の情報再生装置（但し、その各種態様を含む）に備えられたコンピュータにより実行可能なプログラム命令を明白に具現化し、該コンピュータを、前記電子透かし検出部、前記暗号化検出部及び前記再生制御部のうち少なくとも一部として機能させる。【００２２】
上記課題を解決するために、コンピュータ読取可能な媒体内の第２コンピュータプログラム製品は、上述した本発明の情報記録装置（但し、その各種態様を含む）に備えられたコンピュータにより実行可能なプログラム命令を明白に具現化し、該コンピュータを、前記電子透かし生成部及び前記電子透かし埋め込み部のうち少なくとも一部として機能させる。【００２３】
本発明の第１又は第２コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置又は情報記録装置を比較的容易に実施可能となる。更に具体的には、当該コンピュータプログラム製品は、上述した本発明の情報再生装置又は情報記録装置として機能させるコンピュータ読取可能なコード（或いはコンピュータ読取可能な命令）から構成されてよい。【００２４】
本発明のこのような作用及び他の利得は次に説明する実施例から明らかにされる。
【図面の簡単な説明】
【００２５】
【図１】本発明の実施例に係るコンテンツ配信システムの構成を示す概念図である。
【図２】本発明の実施例に係るコンテンツ配信装置のブロック図である。
【図３】本発明の実施例に係る電子透かしにより埋め込まれる情報を示す図である。
【図４】ＤＶＤフォーマットに準拠した記録構造を示す図である。
【図５】本発明の実施例に係るユーザーＰＣのブロック図である。
【図６】（ａ）はコンテンツ配信装置における処理のフローを示す図であり、（ｂ）はユーザーＰＣにおける処理のフローを示す図である。
【図７】電子透かし検出機能を備えていない従来の情報再生装置における再生処理のフローチャートである。
【図８】電子透かし検出機能を備えたＤＶＤ再生プログラムがインストールされたＰＣにおける再生処理のフローチャートである。
【図９】電子透かし検出機能とリボケーション機能を備えたＤＶＤ再生プログラムがインストールされたＰＣにおける再生処理のフローチャートである。
【符号の説明】
【００２６】
１  コンテンツ配信装置
１ａ  電子透かし埋込み部
１ｂ  電子透かし生成部
１ｃ  ＤＶＤフォーマッタ
１ｄ  再生制御情報生成部
１ｅ  暗号化部
１ｆ  インターフェース
１ｇ  制御回路
２  インターネット
３  ユーザーＰＣ
３ａ  光ディスクドライブ
３ｂ  メモリ
３ｃ  ＣＰＵ
３ｄ  インターフェース
３ｅ  ＡＴＡＰインターフェース
３ｆ  電子透かし検出部
３ｇ  グラフィックボード
３ｈ  ＨＤＤ
３ｉ  モニタ
【発明を実施するための最良の形態】
【００２７】
以下、本発明を実施するための最良の形態について実施例毎に順に図面に基づいて説明する。【００２８】
図１に、本発明のコンテンツ配信システムのブロック図を示す。図１において、映画等の情報コンテンツは、コンテンツホルダーが所有するコンテンツ配信装置１からネットワークであるインターネット２を介して配信され、ユーザー端末であるＰＣ３にてダウンロードされる。この場合、例えばユーザーは、インターネット上のホームページを閲覧するなどして自己の所望する情報コンテンツを特定する。そして特定した情報コンテンツを自己のＰＣ３にインターネット２を介してダウンロードする。【００２９】
図２は、情報配信装置としてのコンテンツ配信装置１をより具体的に表したものである。コンテンツ配信装置１は、情報生成装置と配信部とから構成される。情報生成装置は、電子透かし埋込み部１ａ、電子透かし生成部１ｂ、ＤＶＤフォーマッタ１ｃ、再生制御情報生成部１ｄ、ＣＳＳ暗号化部１ｅ、制御回路１ｇからなり、配信部はインターフェース１ｆと制御回路１ｇからなる。なお、本明細書においては、「電子透かし」を適宜「ウォーターマーク」あるいは「ＷＭ」と記載する。【００３０】
電子透かし埋込み部１ａは、特定されたコンテンツデータの映像データ、音声データやそれらに付随するデータに対して電子透かしにより識別情報を埋め込むものである。なお、識別情報としては、情報コンテンツの配信を要求するユーザーを識別するためのユーザーＩＤと情報コンテンツを特定するためのコンテンツＩＤとを含む。電子透かし生成部１ｂは、制御回路１ｇの制御に基づき、コンテンツＩＤとユーザーＩＤからなる識別情報を電子透かしとして生成し、生成された電子透かしを電子透かし埋込み部１ａに供給する。【００３１】
なお、識別情報としては、コンテンツＩＤとユーザーＩＤ以外に、例えばユーザー名やクレジット番号、情報コンテンツを記録媒体に記録する記録装置を識別するための記録装置ＩＤなどを用いても良い。なお、記録装置ＩＤとしては、例えば光ディスクドライブ３ａのシリアル番号や、光ディスクドライブ３ａにインストールされているファームウエアのシリアル番号などが挙げられる。【００３２】
図３に、電子透かし生成部１ｂにて生成される電子透かし情報の一例を示す。この例では電子透かし情報は１６バイトの情報量を持って構成され、コンテンツＩＤおよびユーザーＩＤはそれぞれ２バイト割り当てられている。なお、本実施例ではコンテンツＩＤとユーザーＩＤの双方を電子透かしとしてコンテンツデータに埋め込む例を示すが、これに限定されるものではなく、どちらか一方のみを電子透かしとしてコンテンツデータに埋め込んでもよい。【００３３】
なお、本実施例の電子透かしは、著作権情報も３バイトの情報量をもって挿入されており、著作権情報の例としては、著作者情報やＣＣＩ（Ｃｏｐｙ  Ｃｏｎｔｒｏｌ  Ｉｎｆｏｒｍａｔｉｏｎ）などがある。【００３４】
再生制御情報生成部１ｄは、制御回路１ｇの制御に基づき、情報コンテンツの再生時に所定のパスワード入力を求めるルーチンを有する再生制御情報（ＰＧＣ）を生成し、生成した再生制御データをＤＶＤフォーマッタ１ｃに送出する。ＤＶＤフォーマッタ１ｃは、再生制御情報生成部１ｄから再生制御データを受け取るとともに、電子透かしが埋め込まれたコンテンツデータをＤＶＤ−Ｖｉｄｅｏ規格のフォーマットに従って変換し、出力する。【００３５】
また、ＣＳＳ暗号化部１ｅは、フォーマット化されたコンテンツデータの少なくとも一部に対してＣＳＳ方式による暗号化を施し、暗号化されたコンテンツデータと再生制御データとからなる情報コンテンツを生成し、インターフェース１ｆへ送出する。【００３６】
そして制御回路１ｇは、情報コンテンツをインターフェース１ｆを介してネットワーク上に送出するまで各部の統括制御を行う。【００３７】
図４にＤＶＤフォーマットのＤＶＤ−Ｖｉｄｅｏ規格に準拠した記録構造を示す。上述のパスワード入力を求める制御情報は、図４におけるＶＴＳの下位層に位置するＰＧＣ内のプリコマンドにより設定される。【００３８】
以上が図１におけるコンテンツ配信側の構成であるが、続いてコンテンツ受信側であるユーザー端末のＰＣ３の具体的な構成を図５に示す。【００３９】
図５において、ＰＣ３は情報記録プログラムと情報再生プログラムがインストールされることにより情報記録再生装置を構成するものであり、光ディスクドライブ３ａ、メモリ３ｂ、暗号化検出部および再生制御部として機能するＣＰＵ３ｃ、インターフェース３ｄ、ＡＴＡＰインターフェース３ｅ、電子透かし検出部３ｆ、グラフィックボード３ｇ、ＨＤＤ３ｈ、モニタ３ｉを備えてなる。【００４０】
なお、コンテンツ配信装置１により、コンテンツデータに電子透かしを埋め込むようにしたが、その代わりに、ＰＣ３側に電子透かし生成部と電子透かし埋込み部を設け、コンテンツデータに電子透かしを埋め込むようにしてもよい。例えば電子透かし生成部は、ＣＰＵ３ｃからの指示により、情報コンテンツの再生に用いられるパスワードを生成可能な識別情報に基づき電子透かしを生成し、生成した電子透かしをコンテンツデータに埋め込む処理を行う。なお、電子透かし生成部と電子透かし埋込み部は、ハードウエアにより構成しても、情報記録プログラムからなるソフトウエアによって構成しても良い。【００４１】
一方、図５に示されるインターフェース３ｄは、ＣＰＵ３ｃの制御のもと、インターネットを介してダウンロードした情報コンテンツを受信し、バスを通じてＡＴＡＰインターフェース３ｅへ受信した情報コンテンツを送出する。【００４２】
光ディスクドライブ３ａは、ＡＴＡＰインターフェース３ｅを介して情報コンテンツを受信し、受信した情報コンテンツを当該光ディスクドライブ３ａに挿入されているＤＶＤ−Ｒなどの光ディスク（図示しない）に記録する。なお、ダウンロードした情報コンテンツを光ディスクドライブ３ａではなく、ＨＤＤ３ｈにいったん記録し、ＨＤＤ３ｈから光ディスクに記録するようにしてもよい。【００４３】
次に、コンテンツ配信側およびコンテンツ受信側での具体的な処理の流れを、図５〜図８に基づいて説明する。【００４４】
図６のうち、（ａ）は、コンテンツ配信側であるコンテンツ配信装置１における処理のフローを示す図であり、（ｂ）はユーザー端末であるＰＣ３における処理のフローを示す図である。【００４５】
まず図６（ａ）に従いコンテンツ配信装置１の処理フローを説明する。コンテンツ配信装置１では、ユーザー端末であるＰＣ３からのコンテンツ配信要求の有無を確認する（ステップＳ１）。コンテンツ配信要求が無い場合、すなわちステップＳ１で「Ｎｏ」の場合には、続けてＰＣ３からのコンテンツＩＤの受信の有無を確認する（ステップＳ２）。なお、詳細は後述するが、違法な複製が行われた情報コンテンツが再生された時、コンテンツデータに電子透かしとして埋め込まれていたコンテンツＩＤおよびユーザーＩＤがユーザー端末からコンテンツ配信装置１に向けて送信される。【００４６】
コンテンツＩＤの受信が無い場合、すなわちステップＳ２で「Ｎｏ」の場合には、再びステップＳ１に戻る。また、ステップＳ２でコンテンツＩＤを受信した場合（ステップＳ２で「Ｙｅｓ」）、コンテンツ配信装置１は受信したコンテンツＩＤを再生禁止ＩＤリストに追加する処理を行う（ステップＳ７）。この再生禁止ＩＤリストは、例えばコンテンツ配信装置１側の図示しないＨｏｓｔサーバーに記録保持される。【００４７】
続いて、ステップＳ１でＰＣ３からのコンテンツ配信要求があった場合（ステップＳ１で「Ｙｅｓ」）、コンテンツ配信装置１はユーザー端末であるユーザーＰＣ３と課金・決済の手続きを行う（ステップＳ３）。この課金・決済手続きの際に、コンテンツ配信装置１はユーザーＩＤを認識し、配信する情報コンテンツに対応したコンテンツＩＤを生成する。【００４８】
そしてステップＳ４においては、課金手続きの際に認識したユーザーＩＤと生成したコンテンツＩＤとを識別情報として電子透かし生成部に送信する。なお、電子透かし生成部では、上述のとおりこの識別情報に基づいてコンテンツデータに埋め込むべき電子透かし情報を生成し、生成した電子透かし情報を電子透かし埋込み部１ａにより配信するコンテンツデータに埋め込む。【００４９】
続いてステップＳ５においては、課金手続きの際に認識したユーザーＩＤのうち、例えばその下４桁をパスワードとする再生制御情報（プログラムチェーンＰＧＣ）を生成する。なお、パスワード設定に関するＰＧＣの生成手法に関しては、特開２００３−１３２６２４号公報等に開示がなされている。【００５０】
電子透かしが埋め込まれたコンテンツデータと生成された再生制御データは、ＤＶＤフォーマッタ１ｃに入力され、そこでＤＶＤフォーマットに従って変換出力される。そして、出力されたコンテンツデータは、ＣＳＳ暗号化部１ｅによりＣＳＳ方式による暗号化処理がなされた後、最終的に情報コンテンツとしてＰＣ３に向けてインターネットを介して配信される（ステップＳ６）。【００５１】
続いて、図６（ｂ）に従いユーザーＰＣ３の処理フローを説明する。ユーザーが所望する情報コンテンツが特定されると、ユーザーＰＣ３は、特定された情報コンテンツをダウンロードすべくコンテンツ配信装置１（配信サーバー）に対して配信要求を行う（ステップＳ１１）。この際、配信要求とともにユーザーＩＤをコンテンツ配信装置１に対して送信する。通常、ユーザーはコンテンツホルダーとの間でコンテンツダウンロードに関する入会手続き等の契約処理を事前に行い、この入会手続きの際にユーザーＩＤが割り振られる。【００５２】
続いてステップＳ１２では、特定された情報コンテンツのダウンロードに関する課金手続きがコンテンツ配信装置１との間で行われる。例えばインターネット上のコンテンツホルダーのホームページ内にて、所定の方式により電子決済が行われる。決済の方法としては、電子マネーやクレジット番号の入力などを利用してもよい。【００５３】
そして課金手続きを終えると、コンテンツ配信装置１から所望する情報コンテンツのダウンロードが行われ、光ディスクへの記録が開始される（ステップＳ１３）。そして、情報コンテンツのダウンロードが完了すると（ステップＳ１４「Ｙｅｓ」）、記録が停止される（ステップＳ１５）。【００５４】
次にＰＣ３において、配信された情報コンテンツを再生する際のフローについて図５および図７〜９に基づいて説明する。なお、図７は電子透かし検出機能を備えていない一般的な情報再生装置における再生処理のフローを示す図、図８はいわゆるスタンドアローン型の電子透かし検出機能を備えた特別な情報再生装置における再生処理のフローを示す図、図９は電子透かし検出機能を備えかつネットワークへの接続機能を有する特別な情報再生装置における再生処理のフローを示す図である。【００５５】
また、本実施例にて説明に用いられる情報コンテンツはコンテンツデータと再生制御データとからなるデータ構造をもつ。そしてコンテンツデータには、ユーザーＩＤとコンテンツＩＤが電子透かしとして埋め込まれており、かつ再生制御データには再生時にパスワード入力を求めるＰＧＣが含まれるものとする。また、入力されるパスワードとしては、ユーザーＩＤの下４桁が設定されているものとする。【００５６】
まず図７に基づいて、電子透かし検出機能を備えていない従来のＰＣ（図示しない）にて光ディスクに記録された情報コンテンツの再生処理を行う例を説明する。【００５７】
ユーザーが情報コンテンツを再生しようとする場合、ユーザーによる再生指示が行われることにより処理がスタートする。なお、当該情報コンテンツがＤＶＤ等に記録されている場合には、ＤＶＤを情報再生装置に挿入時に自動的に再生指示が行われる場合もある。【００５８】
そして再生指示に基づいて情報コンテンツの再生処理がスタートすると、再生制御データに含まれるＰＧＣに基づき、パスワードの入力を要求する（ステップＳ２１）。このとき、ユーザーはＰＣに接続されたキーボードなどの入力手段を用いて、パスワードを入力する。この場合、パスワードは上述のとおりユーザーＩＤの下４桁であり、ユーザーはメモなどを参照しながらユーザーＩＤの下４桁を入力することになる。【００５９】
次に、入力されたパスワードが正しいものであるかチェックが行われる（ステップＳ２２）。ここで正しいパスワードが入力されない場合（ステップＳ２２で「Ｎｏ」）、再度ステップＳ２１に戻りパスワードの入力を求める。このとき、ステップＳ２１に戻る回数を制限してもよい。例えば３回、正しいパスワードが入力されなければ処理を中止するように制御してもよい。【００６０】
ステップＳ２２で正しいパスワードが入力された場合、情報コンテンツの再生を開始する（ステップＳ２３）。【００６１】
次に図８に基づいて、電子透かし検出機能を備えたＤＶＤ再生プログラムがインストールされたＰＣ３（情報再生装置）における再生処理について説明する。【００６２】
まずユーザーが自己のＰＣ上にて再生指示を入力することにより、情報コンテンツの再生処理がスタートする。【００６３】
再生処理がスタートすると、まずＣＰＵ３ｃは、電子透かし検出部３ｆを制御して、再生するコンテンツデータに電子透かしがあるのか否かを確認する（ステップＳ３１）。【００６４】
電子透かしが検出されない場合、すなわちステップＳ３１において「Ｎｏ」の場合には、続けて電子透かしが検出されたか否かのフラグを確認し（ステップＳ３５）、当該フラグは「１」とはなっていないのでパスワード入力を要求し（ステップＳ３６）、入力されたパスワードが正しいかをチェックし（ステップＳ３７）、正しいパスワード（この場合であればユーザーＩＤの下４桁）が入力されていればそのまま情報コンテンツの再生を開始する（ステップＳ３８）。なお、ユーザーによるパスワード入力の方法としては、図示しないキーボード等を用い、ユーザーＩＤの下４桁を入力することが考えられる。【００６５】
一方、ステップＳ３１において「Ｙｅｓ」の場合、すなわち電子透かしを検出した場合には、検出された電子透かしの内容であるユーザーＩＤの下４桁をメモリ３ｂに設けられたパスワードレジスタ部に格納する（ステップＳ３２）。そして続けて電子透かしを検出したこと示すフラグＷＭ＿ＦＬＧを立てる（ステップＳ３３）。【００６６】
続いてステップＳ３４においては、再生するコンテンツデータに対する暗号化の有無をチェックする。すなわち、再生しようとするコンテンツデータがＣＳＳ方式による暗号化がなされているかを確認し、暗号化が検出されればステップＳ３５へ移行する。【００６７】
一方、このステップＳ３４において暗号化が検出されなければ、すなわち当該コンテンツデータに暗号化処理がなされていなければ、当該情報コンテンツの再生を中止する。なぜなら、このような情報コンテンツはＤｅＣＳＳなどにより違法に暗号化が解除され、情報記録媒体に複製された可能性が高いものであるからである。【００６８】
次に、ステップＳ３４にて暗号化を検出した後は、ステップＳ３５に移行し、ＣＰＵ３ｃはメモリ３ｂを参照して電子透かしを検出したか否かのフラグを確認する。上述のとおり、電子透かしが検出されているので当該フラグは「ＷＭ＿ＦＬＧ＝１」である。したがって、ＣＰＵ３ｃは、パスワードレジスタ部に格納されたパスワード（ユーザーＩＤの下４桁）を参照し、自動的に入力されたパスワードとして当該レジスタに保持されたパスワードを用いてパスワード入力処理を完了させる。【００６９】
パスワード入力処理が自動的に行われた後は、入力されたパスワードが正しいパスワードであるかチェックを行う（ステップＳ３７）。なお、この場合のパスワード入力処理は、電子透かしにより検出されたユーザーＩＤの下４桁が機械的に処理されているので間違う可能性は低い。【００７０】
そしてパスワードのチェックを終えた後に、引き続いて情報コンテンツの再生を開始する（ステップＳ３８）。これにより、ユーザーは、キーボードを用いてパスワードをいちいち入力する必要がなくなり、コンテンツ再生に関する利便性が向上する。【００７１】
次に図９に基づいて、電子透かし検出機能とリボケーション機能を備えたＤＶＤ再生プログラムがインストールされたＰＣ３（情報再生装置）における再生処理について説明する。【００７２】
まずユーザーが自己のＰＣ上にて再生指示を入力することにより、情報コンテンツの再生処理がスタートする。【００７３】
再生処理がスタートすると、まずＣＰＵ３ｃは、電子透かし検出部３ｆを制御して、再生されたコンテンツデータに電子透かしがあるのか否かを確認する（ステップＳ４１）。【００７４】
電子透かしが検出されない場合、すなわちステップＳ４１において「Ｎｏ」の場合には、続けて電子透かしが検出されたか否かのフラグを確認し（ステップＳ４６）、当該フラグは「１」とはなっていないのでパスワード入力を要求し（ステップＳ４７）、入力されたパスワードが正しいかをチェックし（ステップＳ４８）、正しいパスワード（この場合であればユーザーＩＤの下４桁）が入力されていればそのまま情報コンテンツの再生を開始する（ステップＳ４９）。なお、ユーザーによるパスワード入力の方法としては、図示しないキーボード等を用い、ユーザーＩＤの下４桁を入力することが考えられる。【００７５】
一方、ステップＳ４１において「Ｙｅｓ」の場合、すなわち電子透かしを検出した場合には、検出された電子透かしの内容であるユーザーＩＤの下４桁をメモリ３ｂのパスワードレジスタ部に格納する（ステップＳ４２）。そして続けて電子透かしを検出したこと示すフラグを立てる（ステップＳ４３）。【００７６】
次にステップＳ４４においては、電子透かしにより埋め込まれていた情報が、コンテンツ配信装置１などの管理センターにより管理される再生禁止リスト（Ｒｅｖｏｃａｔｉｏｎ  Ｌｉｓｔ）に入っているか否かをネットワーク経由で確認する。なお、この「再生禁止リスト（Ｒｅｖｏｃａｔｉｏｎ  Ｌｉｓｔ）」は、ブラックリスト的な情報で、このリストには違法コピーされたコンテンツデータに埋め込まれたコンテンツＩＤとかかる情報コンテンツをダウンロードしたユーザーＩＤが記載されている。なお、違法コピーされた情報コンテンツが再生されるとかかるコンテンツＩＤとユーザーＩＤは管理センターに送信され、これを受けて再生禁止リストが逐次更新される。【００７７】
そしてステップＳ４４において、再生しようとするコンテンツデータに電子透かしとして埋め込まれた識別情報が再生禁止リストに登録されていた場合、この埋め込まれていた識別情報をコンテンツ配信装置１に送信する（ステップＳ５０）。これにより、違法コピーされた情報コンテンツが何度再生されたのか把握することができる。なお、管理センターはコンテンツ配信業者が運営するコンテンツ配信装置１の他、多数のコンテンツ配信業者により設立された第三者機関であっても良い。さらにＰ２Ｐの技術が搭載された情報再生装置であれば、上述の管理センターへの識別情報の送信に加え、他の情報再生装置にこの識別情報を送信し、情報再生装置間で再生禁止リストを共有し、再生装置内に保存された再生禁止リストを用いてステップＳ４４を確認するようにしてもよい。【００７８】
一方、電子透かしとして埋め込まれた識別情報が再生禁止リストに登録されていない場合、再生しようとするコンテンツデータに対する暗号化の有無をチェックする（ステップＳ４５）。すなわち、再生しようとするコンテンツデータがＣＳＳ方式による暗号化がなされているかを確認し、暗号化が検出されればステップＳ４６へ移行する。【００７９】
一方、このステップＳ４５において暗号化が検出されなければ、ステップＳ４４、Ｙｅｓの場合と同様に電子透かしとして検出された識別情報を管理センターへ送信する（ステップＳ５０）。なぜなら、このような情報コンテンツは違法に暗号化が解除され、情報記録媒体に複製された可能性が高いものであるので、今後の再生禁止を行うべく当該情報コンテンツに関する識別情報を外部へ通知することが好ましいからである。【００８０】
なお本実施例においては、コンテンツＩＤとユーザーＩＤの両方を用いて再生禁止リストを作成しているが、いずれか一方だけを用いて再生禁止リストを作成しても良い。【００８１】
次に、ステップＳ４５にて暗号化を検出した後、ＣＰＵ３ｃは図示しないメモリを参照して電子透かしを検出したか否かのフラグを確認する（ステップＳ４６）。上述のとおり、電子透かしは検出されているので当該フラグは「ＷＭ＿ＦＬＧ＝１」である。【００８２】
そして当該フラグが「ＷＭ＿ＦＬＧ＝１」の場合、ＣＰＵ３ｃは、パスワードレジスタに格納されたパスワード（ユーザーＩＤの下４桁）を参照し、自動的にパスワードとして当該レジスタに保持されたパスワードを用いてパスワード入力処理を完了させる。【００８３】
パスワード入力処理が自動的に行われた後は、入力されたパスワードが正しいパスワードであるかチェックを行う（ステップＳ４８）。なお、この場合のパスワード入力処理は、電子透かしにより検出されたユーザーＩＤの下４桁が機械的に処理されているので間違う可能性は低い。【００８４】
そしてパスワードのチェックを終えた後に、引き続いて情報コンテンツの再生を開始する（ステップＳ４９）。これにより、ユーザーは、キーボードを用いてパスワードをいちいち入力する必要がなくなり、情報コンテンツの再生に関する利便性が向上する。【００８５】
なお、ＰＣ３のＨＤＤ３ｈにインストールされる情報再生プログラムや情報記録プログラム、また光ディスクドライブ３ａにインストールされるファームウエアは、管理センターなどから逐次最新版のものをダウンロードして更新できるようにしても良い。この更新時、管理センターはダウンロードしようとするユーザーのユーザーＩＤが上述再生禁止リストに登録されていないか確認し、登録されている場合には、記録再生プログラムやファームウエアのダウンロードを禁止するようにしても良い。【００８６】
また、本実施例によれば、ＰＣ３により情報記録再生装置を構成したが、スタンドアローン型の家庭用ＤＶＤプレーヤやレコーダであっても良い。【００８７】
また、本実施例においては、情報コンテンツは情報配信装置からネットワークを介して送信される例を示したが、本発明はこの電子配信の形態に限定されない。例えば情報コンテンツの配信側にて、識別情報が電子透かしとして埋め込まれた情報コンテンツを記録原盤に記録し、スタンパ等を用いて再生専用の情報記録媒体を大量生産し、それをエンドユーザーに有償又は無償で配布しても良い。【００８８】
なお、情報再生装置がネットワークに接続されている場合、上記の実施例と同様にWMをチェックし、ネットワークを介して既に入手済みのリボケーションリストのデータをチェックし、ＷＭで埋め込まれた識別情報が当該リボケーションリストにあれば、違法コピーコンテンツとして再生を許可しないようにしてもよい。また違法コピーコンテンツを検出した場合は、ネットワークに接続されている管理センターや、他の情報再生装置に識別情報を送付し、違法コピーコンテンツの蔓延を防止する。この際Ｐｅｅｒ  ｔｏ  Ｐｅｅｒの技術が導入されていれば、サーバーに送るだけではなく、接続されている機器間で直接違法コピーリストを送受信することができる。【００８９】
また、ＰＣを用いたネットワークプレーヤーは、常駐部と非常駐部からなり、常駐部で、再生機能が動作しないときにでも、違法コピーの監視を行い、発見したときは、ネットワークにつながっているときは、即座に、つながっていないときは、次につながったときに所定の場所あるいはネットワークにつながっているネットワークプレーヤーに情報を提供することが望ましい。【００９０】
このように本実施例においては、電子透かし検出器を備える情報再生装置と、備えない情報再生装置とで再生制御フローが異なっている。電子透かし検出器を備えていない従来の情報再生装置であると、情報コンテンツの再生時にはパスワードをユーザーが入力する必要がある。一方、本実施例のように電子透かし検出機能を有する情報再生装置では、情報コンテンツの再生に際してパスワードをユーザーが入力する必要はない。よって、ユーザーはパスワード入力作業が軽減されることになる。また、加えて違法な複製が行われた情報記録媒体の再生を制限することができ、著作権者の保護が図れることになる。
なお、以上に示した実施例は、本発明を実施する最良の形態であるが、この形態に限定されるものではなく本発明の技術思想または趣旨を逸脱しない範囲で適宜変更可能であることは言うまでもない。
【産業上の利用可能性】
【００９１】
本発明に係る情報配信装置、情報記録媒体、および情報再生装置は、例えば映画などの情報コンテンツを配信するコンテンツ配信装置、情報コンテンツが記録された情報記録媒体、かかる情報記録媒体を再生する情報再生装置に利用可能である。また、例えば民生用或いは業務用の各種コンピュータ機器に搭載される又は各種コンピュータ機器に接続可能な情報配信装置及び情報再生装置等にも利用可能である。
【図１】
0004749466.tif 000002
【図２】
0004749466.tif 000003
【図３】
0004749466.tif 000004
【図４】
0004749466.tif 000005
【図５】
0004749466.tif 000006
【図６】
0004749466.tif 000007
【図７】
0004749466.tif 000008
【図８】
0004749466.tif 000009
【図９】
0004749466.tif 000010